(57)【要約】【課題】  撮像手段を備えた腕装着型電子機器において、薄型化、コンパクト化を可能にすることにより、装着感や外観デザインに優れ、また、撮影操作が容易で、使いやすい構造を提供する。【解決手段】  本発明の腕装着型電子機器１００は、撮像手段を備えた撮像部１１０と、表示手段を備えた表示部１２０と、バンド部１３０とを有する腕装着型電子機器であって、装着時において前記撮像部、前記表示部及び前記バンド部が任意の順番で直列に配置されるように連結されていることを特徴とする。【選択図】図１
2005217901.tif 000002
【特許請求の範囲】
【請求項１】
撮像手段を備えた撮像部と、表示手段を備えた表示部と、バンド部とを有する腕装着型電子機器であって、装着時において前記撮像部、前記表示部及び前記バンド部が任意の順番で直列に配置されるように連結されていることを特徴とする腕装着型電子機器。
【請求項２】
前記バンド部は、装着時において前記撮像部と前記表示部とを連結方向両側からそれぞれ連結する第１バンド部及び第２バンド部を有することを特徴とする請求項１に記載の腕装着型電子機器。
【請求項３】
装着時において、前記撮像手段の光軸と前記表示手段の表示面の法線とが８０度以上２８０度以下の角度差を有することを特徴とする請求項２に記載の腕装着型電子機器。
【請求項４】
前記表示手段は、前記撮像手段にて撮影される撮影画像を表示する機能を有することを特徴とする請求項１乃至３に記載の腕装着型電子機器。
【請求項５】
前記表示部には、前記撮像手段を操作するための外部操作手段が設けられていることを特徴とする請求項１乃至４に記載の腕装着型電子機器。
【請求項６】
前記撮像部と前記表示部との間に前記バンド部の内部を通過する配線が接続されていることを特徴とする請求項１乃至５に記載の腕装着型電子機器。
【発明の詳細な説明】
【技術分野】
【０００１】
本発明は、腕装着型電子機器に関し、特に、ＣＣＤカメラなどの撮像手段を備えた腕装着型電子機器の構造に関する。
【背景技術】
【０００２】
一般に、ＣＣＤセンサなどの撮像素子はビデオカメラやディジタルスチルカメラなどの種々の電子機器に搭載されており、近年、撮影機能付きの携帯電話も登場してきている。また、腕時計型の携帯型電子機器においても上記の撮像素子を搭載したものが知られている。
【０００３】
このような腕装着型電子機器の具体的な構造としては、メモリカセットを収納した下部ケースと、液晶表示体を備えた蓋体である上部ケースとを開閉自在に構成してなる本体を具備し、この上部ケースと下部ケースを連結するヒンジ部に電子カメラを内蔵してなる構造が知られている（例えば、以下の特許文献１参照）。
【０００４】
また、上記と同様に相互に開閉可能に構成した下部ケースと上部ケースとからなる本体を有するが、上記とは異なり、上部ケースの外面側に小型カメラを形成し、上部ケースの内面側にファインダを形成してなる構造も知られている（例えば、以下の特許文献２参照）。この構造では、上部ケースを開いた状態で、ファインダを見ながら撮影を行うことが可能になる。
【特許文献１】特開平５−２０９９７３号公報
【特許文献２】特開平１１−１８３６５９号公報
【発明の開示】
【発明が解決しようとする課題】
【０００５】
しかしながら、前述のように上部ケースと下部ケースとが開閉可能に構成された本体を有する腕装着型電子機器では、本体が厚くなり、また、本体の重量が大きくなって重量分布が時計本体に集中することにより、外観デザインや装着性が悪化するという問題点がある。
【０００６】
また、カメラが上部ケースと下部ケースのヒンジ部に構成されている腕装着型電子機器では、カメラの光軸と上部ケースに設けられた表示面の法線とがねじれの関係にあるため、表示面を見ながら腕を動かして撮影範囲を調整しようとすると、腕の移動方向と画面の移動方向との関係が複雑になるので、撮影範囲の設定が困難になるなど、撮影時の各種操作が難しいという問題がある。
【０００７】
さらに、上部ケースの外面にカメラレンズが設けられ、上部ケースの内面上にファインダが設けられた腕装着型電子機器では、撮影範囲の設定に困難性はないものの、カメラレンズが設けられることによって上部ケースの外面に構成できる表示体の表示面積が小さくなり、表示できる情報が限られるという問題点がある。また、上記表示画面とは別にファインダを設ける必要があるので、上部ケースの厚さがさらに大きくなるとともに、製造コストが増大するという問題点もある。
【０００８】
本発明は上述の問題点に鑑みなされたものであり、その課題は、撮像手段を備えた腕装着型電子機器において、薄型化、コンパクト化を可能にすることにより、装着感や外観デザインに優れた構造を提供することにある。また、他の課題は、撮影操作が容易で、使いやすい構造を提供することにある。
【課題を解決するための手段】
【０００９】
上記課題を解決するために、本発明の腕装着型電子機器は、撮像手段を備えた撮像部と、表示手段を備えた表示部と、バンド部とを有する腕装着型電子機器であって、装着時において前記撮像部、前記表示部及び前記バンド部が任意の順番で直列に配置されるように連結されていることを特徴とする。
【００１０】
本発明によれば、本体部分を撮像部と表示部とに分け、これらを装着時においてバンド部とともに直列に配置されるように連結することにより、撮像部と表示部とが連結方向に配列されるため、本体部分の厚さを薄くすることができるとともに装着時における重量分布を分散させることができるため、装着感が良いなど、携帯性を高めることができるとともに、外観デザインを向上させることができる。また、撮像部と表示部が連結方向に配列されていることにより、撮像手段の光学開口を大きく確保することが可能になるために撮影画像の品位を高めることができる、表示部の表示面積を広くして視認性を向上させることができるなどの高性能化や多機能化の要求に容易に応えることが可能になる。
【００１１】
本発明において、撮像部と表示部とを連結方向両側からそれぞれ連結する第１バンド部と第２バンド部を設けることにより、本発明の携帯型電子機器を装着した場合、撮像部と表示部との間に必ずバンド部分が介在することになるため、腕に対するフィット性を高めることができることから、装着性をさらに向上させることができる。また、撮像部と表示部を相互に離間した角度位置に配置できるので、撮影時における操作性を向上させることもできる。
【００１２】
本発明において、撮影手段の光軸と表示手段の表示面の法線とが８０度以上２８０度以下の角度差を有することにより、腕に装着した状態で、撮影方向と、表示面に対する視認方向との間に充分な角度差を設けることができるので、撮影時において無理な姿勢を採らなくても表示面が視認しやすくなる。特に、より撮影しやすくするためには上記角度差が８０〜１００度（例えば約９０度）、２６０〜２８０度（例えば約２７０度）、或いは、１６０〜２００度（例えば約１８０度）の範囲内であることが望ましい。
【００１３】
本発明において、表示手段が撮像手段にて撮影される撮影画像を表示する機能を有することにより、表示手段をファインダとして用いることができ、撮影画像の設定及び確認を行うことが可能になる。なお、この表示手段により、上記撮影画像以外の撮影情報、例えば、露光量、シャッタスピード、その他の撮影条件などを表示することができるように構成されていることが望ましい。また、この表示手段は、非撮影時においては時刻などの時間情報を表示するように構成されていることが好ましい。
【００１４】
本発明において、前記表示部には、前記撮像手段を操作するための外部操作手段が設けられていることが好ましい。外部操作手段が表示部に設けられていることにより、撮影対象に向ける必要がある撮像部から離れた角度位置で操作を行うことができるため、撮影時の操作性を高めることができる。また、表示手段による表示内容を見ながら撮影操作を行うことも容易になる。
【００１５】
本発明において、前記撮像部と前記表示部との間に前記バンド部（例えば、上記の第１バンド部）の内部を通過する配線が接続されていることにより、撮像部と表示部との間にバンド部が介在していても、撮像部と表示部との間の制御や情報のやり取りなどを行うことができる。この場合に、配線が通過するバンド部の部分は、組立性を高めるために中空構造を有するものであることが望ましい。
【００１６】
なお、上記各発明において、表示手段の表示モードとして、非撮影時の一般表示モード（時刻表示モード）と、撮影時の撮像情報表示モードとを切換可能に構成することが好ましい。また、撮影画像を記録するための画像記録手段（メモリ）を設けることが好ましい。この場合、画像記録手段は撮像部内に配置することが望ましい。また、上記画像記録手段に記録された撮影画像を外部に転送するための接続端子を設けることが望ましい。
【発明を実施するための最良の形態】
【００１７】
以下、本発明の実施形態を図面に基づいて説明する。図１は本発明に係る実施形態の腕装着型電子機器１００の非装着時の展開状態を示す概略平面図、図２は同実施形態の装着状態における形状を示す概略斜視図、図３は図２とは反対側から見た概略斜視図である。
【００１８】
腕装着型電子機器１００には、ＣＣＤセンサやＣＭＯＳセンサなどの撮像素子を備えた撮像手段を内蔵する撮像部１１０と、液晶表示体、有機エレクトロルミネッセンス素子などの表示体を備えた表示手段を内蔵する表示部１２０とが設けられている。これらの撮像部１１０と表示部１２０は、それぞれ金属や合成樹脂などで構成されるケーシング１１１，１２１の内部に上記の撮像手段や表示手段が収容されている。
【００１９】
撮像部１１０と表示部１２０はバンド部１３０によって腕に装着できるように構成されている。本実施形態では、バンド部１３０は、第１バンド部１３１と、第２バンド部１３２とを有する。第１バンド部１３１及び第２バンド部１３２はいずれも撮像部１１０と表示部１２０との間に連結されている。これらの第１バンド部１３１と第２バンド部１３２は、撮像部１１０と表示部１２０とを連結方向両側からそれぞれ連結している。すなわち、本実施形態の腕装着型電子機器１００は、撮像部１１０、第１バンド部１３１、表示部１２０、第２バンド部１３２の順で腕の周りに配列される態様で連結されている。
【００２０】
ここで、第１バンド部１３１は、撮像部１１０と表示部１２０の間に常に連結されている。これに対して、第２バンド部１３２は、その一端が表示部１２０に対して常に連結されている一方で、その他端は撮像部１１０に対して着脱可能に構成されている。したがって、本実施形態において、非装着状態では、図１に示すように、撮像部１１０と第２バンド部１３２とが分離されているが、図２及び図３に示すような装着状態では、撮像部１１０、第１バンド部１３１、表示部１２０、第２バンド部１３２によって閉じた環が構成される。
【００２１】
撮像部１１０は、金属や合成樹脂などの適宜の素材で構成されたケーシング１１１を備え、このケーシング１１１の内部に後述する撮像素子とメモリが内蔵されている。上面中央にはレンズ１１２があり、撮像素子はレンズ１１２を通して入射した光に基づいて画像の撮影を行い、その画像データをメモリに記録するように構成されている。撮像部１１０にはズーム機構を適宜に設けてもよい。
【００２２】
ケーシング１１１の側面には押しボタン１１３と回転ダイヤル１１４とからなる外部操作部が設けられている。この外部操作部１１３，１１４は押しボタンと回転ダイヤルが一体に構成されたリュウズボタン構造に構成されていてもよい。
【００２３】
また、ケーシング１１１の側面の他の部分にはＵＳＢ端子などで構成される接続端子１１５が設けられ、この接続端子１１５は保護キャップ１１６により覆われている。保護キャップ１１６はケーシング１１１に対して条材（鎖）１１７によって接続されている。図１及び図３には保護キャップ１１６を装着した状態を示すが、図４に保護キャップ１１６をはずした様子を模式的に示す。保護キャップ１１６は例えばネジロック式防水キャップである。
【００２４】
撮像部１１０の一方の端部には上記の第１バンド部１３１が連結されている。撮像部１１０の他方の端部には第２バンド部１３２を挿通させた状態で係合させるための係合軸１１８が接続されている。この係合軸１１８の両端はケーシング１１１に接続され、また、係合軸１１８とケーシング１１１との間には第２バンド部１３２を挿通可能な隙間が設けられている。
【００２５】
表示部１２０には、ケーシング１２１の内部において液晶表示体や有機エレクトロルミネッセンス表示体などの各種の表示体が内蔵され、この表示体の表示画面１２２が表面に露出している。また、この表示部１２０には外部操作部１２３が設けられている。この外部操作部１２３には、各種の操作スイッチ、例えば、シャッタボタン１３２ａ、タイマーボタン１２３ｂ、削除ボタン１２３ｃなどが備えられている。
【００２６】
なお、図示例では、表示部１２０において外部操作部１２３を表示画面１２２の第２バンド１３２側に設けているが、第１バンド部１３１側に設けても良い。また、外部操作部１２３を第１バンド部１３１や第２バンド部１３２に設けても構わない。
【００２７】
第１バンド部１３１は、合成樹脂などの可撓性素材で構成され、その内部に連結方向に貫通した中空部１３１ａを有する中空構造を備えている。この中空構造の第１バンド部１３１はインサート成形などの樹脂成形法によって容易に製造できる。このように構成すると、防水性能を持たせることができ、また、内部に配線や基板などを格納することが可能になる。中空部１３１ａには、撮像部１１０と表示部１２０との間に接続された配線１３３が挿通されている。
【００２８】
なお、第１バンド部１３１は、撮像部１１０と表示部１２０を構造的にも電気的にも接続する機能を有し、装着感が良いものであればよい。したがって、図示例とは異なる他の構造でもよく、例えばフレキシブル配線基板を被覆材にて覆ったものであっても構わない。
【００２９】
第２バンド部１３２は可撓性を有する基材１３２ａを有し、また、この基材１３２ａの表面に固定され、相互に着脱自在に構成された面ファスナ１３２ｂと１３２ｃが設けられている。これらの面ファスナ１３２ｂ，１３２ｃは、第２バンド部１３２を本実施形態の他の部分（図示例では撮像部１１０）に対して着脱可能に連結する連結手段を構成する。この連結手段は、通常の美錠や中留めのような構造であっても構わない。
【００３０】
本実施形態では、第２バンド部１３２の先端をケーシング１１１と係合軸１１８の間に通し、面ファスナ１３２ｂを面ファスナ１３２ｃに押し当てることにより相互に接着されるので、これにより図２及び図３に示す装着状態が保持されるようになっている。
【００３１】
なお、図示例では外部操作部１１３，１１４、接続端子１１５、及び、保護キャップ１１６を撮像部１１０に設けているが、これらのそれぞれを撮像部１１０ではなく、第１バンド部１３１や表示部１２０のいずれに設けても構わない。
【００３２】
図５（ａ）は、本実施形態の装着状態における撮像部１１０、表示部１２０、第１バンド部１３１及び第２バンド部１３２の位置関係の概略を模式的に示す概略説明図である。ここで、上記のように第２バンド部１３２は撮像部１１０の端部に係合させて折り返し、面ファスナ１３２ｂと１３２ｃを適宜の位置で接着させるようになっているので、装着状態の第２バンド部１３２の連結方向の長さは或る程度変化する。本実施形態の場合、装着時における第２バンド部１３２の長さを標準の長さ（装着可能な範囲の中央位置）に設定したときに、図５（ａ）に示すように、撮像部１１０の光軸１１０ｘと表示部１２０の表示画面の中央部を通過する法線１２０ｘとの角度差が約１８０度になるように構成されている。ただし、上記のように第２バンド部１３２の長さは調整できるので、実際には、第２バンド部１３２を留めることのできる範囲で、上記角度差が１６０〜２００度の範囲内になるように構成されている。また、本実施形態とは異なり、装着時におけるバンド部の長さが一定であるものでも、上記範囲に設定されていればよい。このことは以下の説明においても全て同様である。
【００３３】
上記のように、撮像部１１０の光軸１１０ｘと、表示部１２０の表示画面の法線１２０ｘとの角度差が１８０度を中心として１６０〜２００度の範囲内に設定されていれば、腕に装着した状態で、撮像部１１０の光軸１１０ｘと、表示部１２０の法線１２０ｘとがほぼ直線状に並ぶように構成できるため、撮影時において表示画面によりファインダ画像を見る場合に、撮影画面の設定が容易になる。例えば、撮像部１１０を手首の外面上に配置し、表示部１２０を手首の内面上に配置して、腕を上げて手首を目の前にかざすだけで容易に撮影姿勢を採ることができる。
【００３４】
また、図５（ｂ）に示すように、撮像部１１０′の光軸１１０ｘ′と表示部１２０′の法線１２０ｘ′の角度差は、約９０度を中心として８０〜１００度、或いは、約２７０度を中心として２６０〜２８０度の範囲内に設定してもよい。このようにすると、例えば、撮像部１１０′を手首の外側部上に配置し、表示部１２０′を手首の外面上に配置することができ、この状態で、腕を首、胸、或いは、腹の前に配置して上方から手首の外面上に配置される表示部１２０′を見下ろしながら撮影を行うことができる。ここで、２組の角度差範囲を提示したのは、角度差を測る方向によって、或いは、腕装着型電子機器を装着する腕が左右いずれになるかによって、いずれの組の値を採るかが変わるためであり、本質的な問題ではない。
【００３５】
図６は上記実施形態の腕装着型電子機器１００の内部構成の概略を示すブロック図である。撮像部１１０には撮像手段１１０Ｘが設けられている。この撮像手段１１０Ｘには、上記のレンズ１１２やシャッタ若しくは光学絞りなどを含む撮像光学系１１０Ａと、この撮像光学系１１０Ａの背後に配置されたＣＣＤセンサやＣＭＯＳセンサなどの撮像素子１１０Ｂと、撮像素子１１０Ｂの出力信号を処理して画像データを生成する画像処理部１１０Ｃとが設けられている。
【００３６】
撮像部１１０には、上記撮像手段１１０Ｘによって得られた画像データを記録するメモリ１１０Ｄが設けられている。このメモリ１１０Ｄは、ＲＡＭ（ランダムアクセスメモリ）などの取り外しできないメモリ素子で構成されていてもよく、或いは、コンパクトフラッシュ（登録商標）などの取り外し可能なメモリ素子で構成されていてもよい。さらに、撮像部１１０には、上述の外部操作部１１３，１１４や接続端子１１５などが設けられている。
【００３７】
上記の画像処理部１１０Ｃ、外部操作部１１３，１１４、接続端子１１５及び撮像光学系１１０Ａからは配線１３３が導出され、表示部１２０に接続されている。これらの配線１３３は第１バンド部１３１の内部を通り、表示部１２０に設けられた中央制御部１２０Ａに接続されている。
【００３８】
表示部１３０には前述の中央制御部１３０Ａと、この中央制御部１２０Ａに接続された表示駆動部１２０Ｂと、表示駆動部１２０Ｂによって駆動される表示体１２０Ｃと、中央制御部１２０Ａに接続された時計回路部１２０Ｄとが設けられている。ここで、表示駆動部Ｂ１２０Ｂ及び表示体１２０Ｃは表示手段１２０Ｇを構成する。また、中央制御部１２０ＡはＭＰＵ（マイクロプロセッサユニット）などで構成されている。また、表示部１２０においては、外部操作部１２３が設けられ、この中にあるシャッタボタン１２３ａ、タイマーボタン１２３ｂ、削除ボタン１２３ｃなどの各操作部材も中央制御部１２０Ａに接続されている。なお、中央制御部１２０Ａや時計回路部１２０Ｄを、表示部１２０内ではなく、撮像部１１０又は第１バンド部１３１に格納しても良い。
【００３９】
中央制御部１２０Ａは、時計回路部１２０Ｄに時計制御信号を出力し、時計回路部１２０Ｄの制御（時刻修正、時間計測などの制御）を行う。また中央制御部１２０Ａは、時計回路部１２０Ｄから出力される時間情報（時刻データなど）を受け、後述する時刻表示モードにおいて、表示駆動回路１２０Ｂに表示制御信号を送る。表示駆動回路１２０Ｂは、この表示制御信号に基づいて駆動信号を表示手段である表示体１２０Ｃに出力し、これによって、表示画面１２２に所定の時間情報が表示されるようになっている。
【００４０】
さらに、中央制御部１２０Ａは、撮像手段１１０Ｘの撮像光学系１１０Ａ（シャッタもしくは光学絞りなど）に撮像制御信号を送り、上記の外部操作部１１３や１２３などから送られる操作信号に応じて所定のタイミングでシャッタを駆動したり、光学絞りを調整したりするように構成されている。また、中央制御部１２０Ａは画像処理部１１０Ｃを制御して画像処理を実行させると共に、必要に応じて画像データをメモリ１１０Ｄに記録することができる。さらに、後述する撮影モードや表示モードにおいては、画像処理部１１０Ｃにて形成された画像データ或いはメモリ１１０Ｄに記録された画像データに基づいて表示駆動部１２０Ｂを制御する。これによって表示手段１２０Ｇの表示画面１２２にファインダ画像を表示したり、メモリ１１０Ｄ内の記録画像を接続端子１１５を介して出力したりすることが可能となる。
【００４１】
中央制御部１２０Ａは、外部操作部１１３，１１４を操作することによって、表示駆動部１２０Ｂに出力する表示制御信号として、時計回路部１２０Ｄから出力された時間情報に基づく時間表示信号、画像処理部１１０Ｃから出力された画像データに基づく画像表示信号などを適宜に選択して出力する。これによって表示手段１２０Ｇの表示画面１２２にて表示される表示態様が切り換えられる。また、中央制御部１２０Ａは、動作制御信号として、撮像光学系１１０Ａに対する撮影制御信号、画像処理部１１０Ｃに対する画像処理信号、時計回路部１２０Ｄを制御する時計制御信号などを適宜に選択して出力する。これによって、各部の動作が行われる。
【００４２】
図７は外部操作部１１３，１１４の操作による動作モード切換態様の一例を示す説明図である。図７において、「ＰＵＳＨ」は押しボタン１１３の押圧操作を示し、「ＴＵＲＮ」は回転ダイヤル１１４の回転操作を示す。図７で左側は上位の動作モードであり、右側は下位の動作モードである。
【００４３】
非撮影時においては、表示画面１２２には時計回路部１２０Ｄから出力された時間情報が表示され、撮像部１１０は動作していない。押しボタン１１３を押す度に、最上位モードである時計モード、撮影モード、表示モードが順次に切り換えられる。ここで、時計モードが表示されているときに回転ダイヤル１１４を回転させると、時刻修正モード、アラーム設定モード、スライド表示モード、背景選択モード、リターンモードなどの各時計下位モードが表示される。時計下位モードのいずれかを表示させた状態でさらに押しボタン１１３を押圧すれば、当該時計下位モードが選択される。ここでリターンモードを選択すると、上記最上位モードの選択レベルに戻る。
【００４４】
いずれかの時計下位モードが選択されている状態で回転ダイヤル１１４を回すと、選択された時計下位モードに応じた動作が行われる。例えば、時刻修正モードでは時刻送りが行われ、アラーム設定モードではアラーム時刻の送りが行われ、スライド表示モードではスライド画像の送りが行われ、背景選択モードでは時刻表示の背景画像の送りが行われる。上記のリターンモード以外の各時計下位モードが選択されている状態でさらに押しボタン１１３を押圧すると、時計下位モードの選択レベルに戻る。
【００４５】
最上位モードのうち撮影モードが選択されている状態では、回転ダイヤル１１４を操作すると、モードＡ、モードＢ及びモードＣの各撮影下位モードが順次選択される。いずれかの撮影下位モードが選択されている状態で上記外部操作部１２３を操作すると、各モードにおける詳細な条件設定を行うことができ、また、表示画面１２２に撮影しようとするファインダ画像が表示される。さらに、選択されたモード条件にてシャッタボタン１２３ａの操作により撮像手段１１０Ｘの画像撮影を行うことができる。また、タイマーボタン１２３ｂにより所定時間経過後の撮影も可能である。さらに、外部操作部１２３を操作することにより、撮影された画像を上記メモリ１１０Ｄに記録したり、削除ボタン１２３ｃの操作により撮影された画像を破棄したりすることもできる。なお、いずれかの撮影下位モードが選択されている状態で押圧ボタン１１３を押圧すると、最上位モードの選択レベルに戻る。
【００４６】
最上位モードのうち表示モードが選択されている状態で回転ダイヤル１１４を操作すると、上記メモリ１１０Ｄに記録されている画像データを順次表示画面１２２に表示させることができる。また、この表示画面では、外部操作部１２３を操作する（削除ボタン１２３ｃを操作する）ことにより、記録されている画像を破棄したり、或いは、記録されている画像を、接続端子１１５を介して外部へ出力したりすることができる。さらに、表示モードが選択されている状態でさらに押圧ボタン１１３を押圧すると、最上位モードの選択レベルに戻る。
【００４７】
以上説明した上記実施形態の腕装着型電子機器においては、装着時において、撮像部、表示部及びバンド部を適宜の順序で連結方向に直列に配列させたことにより、薄型化を図ることが可能になるので、装着性及び外観デザインの向上を図ることができる。また、撮像部と表示部の角度位置をある程度離間させることができるため、撮像手段に対する操作性に優れた腕装着型電子機器を構成することができる。
【００４８】
図８は、上記実施形態とは異なる腕装着型電子機器２００の概略構造を示す概略側面図（ａ）及び（ｂ）である。ここで、図８（ａ）は装着状態を示し、図８（ｂ）は非装着状態を示す。この腕装着型電子機器２００においては、撮像部２１０、表示部２２０及びバンド部２３０を備えている。バンド部２３０は上記実施形態と同様に第１バンド部２３１と第２バンド部２３２によって構成されている。
【００４９】
本実施形態が先の実施形態と異なる点は、表示部２２０が、表示手段を備えた表示部本体２２０Ａと、この表示部本体２２０Ａにヒンジ接合された第１接合部２２０Ｂと、第１接合部２２０Ｂにヒンジ接合された第２接合部２２０Ｃとを三つ折れ状に連結した構造となっている点にある。先に説明した実施形態では、装着状態において閉じた環状に構成され、非装着状態ではその環状の一部が分離するように構成されているが、この実施形態では、連結方向に環状に閉じた構造の一部が分離することはなく、その代わりに、三つ折れ状に折り畳まれた表示部本体２２０を広げることによって連結方向の長さが大きくなるように構成されている。すなわち、表示部本体２２０Ａと、第１接合部２２０Ｂと、第２接合部２２０Ｃとは、図８（ａ）に示す装着状態では相互に重なるように構成されているが、図８（ｂ）に示す非装着状態では、それぞれがヒンジ部を回動させることにより開かれるので、これによって装着状態よりも連結方向の長さが大きくなる。したがって、図８（ａ）の装着状態では、腕に比較的密着した状態で装着されるが、図８（ｂ）の非装着状態では、連結方向の長さに余裕が生ずるので腕に対して着脱可能な状態になる。
【００５０】
この実施形態でも、基本的には上記実施形態と同様の作用効果を奏する。ここで、上記構成では、表示部２２０を三つ折れ状に構成しているが、その代わりに、撮像部２１０を三つ折れ状に構成してもよい。ただし、より薄く構成できる表示部２２０を三つ折れ状に構成する方が撮像部２１０を薄く構成できる点で好ましい。また、図示例では、撮像部２１０と表示部２２０の角度差が１６０〜２００度の範囲内、例えば約１８０度になるように構成してあるが、先に説明した実施形態と同様に、他の角度差を有するように構成しても構わない。
【００５１】
なお、本発明の腕装着型電子機器は、上記実施形態に限らず、本発明の技術思想の範囲内において種々に構成を変更することが可能である。例えば、上記各実施形態では、撮像部と表示部の間にバンド部が介在しているが、撮像部と表示部が直接連結されていてもよい。この場合には、直接連結された撮像部と表示部で構成される連結体の両端部をバンド部によって連結することになる。また、上記各実施形態では、撮像部、第１バンド部、表示部、第２バンド部の順で連結された構造のみが示されているが、これらの連結構造の連結順序は任意であり、状況に応じて適宜に構成できることは言うまでもない。さらに、上記の最初の実施形態ではバンド部と撮像部の間を分離可能に構成しているが、分離箇所は任意であり、バンド部と表示部の間であってもよく、撮像部と表示部の間であってもよい。また、撮像部と表示部のいずれか一方を２つに分離可能に構成し、バンドの中留めと同様の機能を持たせることも可能である。
【図面の簡単な説明】
【００５２】
【図１】本発明の実施形態の展開形状を示す概略平面図。
【図２】本発明の実施形態の装着状態を示す概略斜視図。
【図３】図２の反対側から見た様子を示す概略斜視図。
【図４】実施形態の撮像部の保護キャップを外した状態を示す部分平面図。
【図５】実施形態の概略構造を示す概略側面図（ａ）及び変形例の概略構造を示す概略側面図（ｂ）。
【図６】実施形態の内部構成の概略を示すブロック図。
【図７】本発明の携帯型電子機器の表示モード切換態様の一例を示す説明図。
【図８】異なる実施形態の概略構造を示す概略側面図（ａ）及び（ｂ）。
【符号の説明】
【００５３】
１００…腕装着型電子機器、１１０…撮像部、１１０Ａ…撮像光学系、１１０Ｂ…撮像素子、１１０Ｃ…画像処理部、Ｄ…メモリ１１０、１１０Ｘ…撮像手段、１１１…ケーシング、１１２…レンズ、１１１１３…押しボタン、１１４…回転ダイヤル、１１５…接続端子、１１６…保護キャップ、１１７…条材、１１８…係合軸、１２０…表示部、１２０Ａ…中央制御部、１２０Ｂ…表示駆動部、１２０Ｃ…表示体、１２０Ｄ…時計回路部、１２１…ケーシング、１２２…表示画面、１２３…外部操作部、１２３ａ…シャッタボタン、１２３ｂ…タイマーボタン、１２３ｃ…削除ボタン、１３０…バンド部、１３１…第１バンド部、１３２…第２バンド部、１３２ｂ，１３２ｃ…面ファスナ、１３３…配線
【図１】
2005217901.tif 000003
【図２】
2005217901.tif 000004
【図３】
2005217901.tif 000005
【図４】
2005217901.tif 000006
【図５】
2005217901.tif 000007
【図６】
2005217901.tif 000008
【図７】
2005217901.tif 000009
【図８】
2005217901.tif 000010